【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
血流のためのアパーチャを形成する支持構造と、柔軟なリーフレットとを備えた人工心臓弁であって、
前記リーフレットは、前記アパーチャに血液を流す開配置と、前記アパーチャに血液が流れることを制限する閉配置との間を、前記支持構造に対して動くことが可能であり、
前記アパーチャは中心軸を画定し、該中心軸を横断する平面を通る前記リーフレットの横断面は、該リーフレットが、前記開配置および前記閉配置、および、該リーフレットが形成される自然状態または初期状態を含む前記開配置と前記閉配置との間のすべての中間状態において、外向き凸部、外向き凹部、および該凸部と凹部とのジャンクションを形成し、
前記リーフレットは、少なくとも部分的に直線的な第１および第２の取り付けラインに沿って取り付けられており、該リーフレットが前記開配置と前記閉配置間との間を動くことにより、前記横断面における前記凸部が、第１および第２の取り付けラインの一方の回りを旋回し、かつ、前記横断面における前記凹部が、第１および第２の取り付けラインの他方の回りを旋回する、
人工心臓弁。
【請求項２】
前記第１および第２の取り付けラインは、前記中心軸に対して略平行方向に伸長する、請求項１または２に記載の人工心臓弁。
【請求項３】
前記凸部は、第１および第２の取り付けラインの一方から前記ジャンクションへと伸長し、前記凹部は、第１および第２の取り付けラインの他方から前記ジャンクションへと伸長する、請求項１または２に記載の人工心臓弁。
【請求項４】
前記リーフレットが閉配置を離れて開配置の方へと動くことにより、前記横断面における前記凸部の曲率は減少し、前記横断面における前記凹部の曲率は増加する、請求項１〜３のいずれかに記載の人工心臓弁。
【請求項５】
前記リーフレットが閉配置から開配置へと動くことにより、最初は前記横断面における前記凸部および前記凹部の曲率がともに増加し、続いて、該凸部の曲率は減少し、該凹部の曲率はさらに増加する、請求項１〜３のいずれかに記載の人工心臓弁。
【請求項６】
前記リーフレットが閉配置を離れて開配置の方へと動くことにより、前記リーフレットの横断面に沿って、前記ジャンクションは、前記凸部がその回りを旋回する第１または第２の取り付けラインから離れて、前記凹部がその回りを旋回する第１および第２の取り付けラインの他方の方へと動く、請求項１〜５のいずれかに記載の人工心臓弁。
【請求項７】
前記リーフレットが閉配置から開配置へと動くことにより、最初は前記リーフレットの横断面に沿って、前記ジャンクションは移動せず、その後、該ジャンクションは、前記凸部がその回りを旋回する第１または第２の取り付けラインから、前記凹部がその回りを旋回する第１および第２の取り付けラインの他方の方へと動く、請求項１５に記載の人工心臓弁。
【請求項８】
前記横断面における前記凸部の長さは、閉配置におけるよりも開配置において、その全長に対する比率が大きい、請求項１〜７のいずれかに記載の人工心臓弁。
【請求項９】
前記リーフレットは、前記アパーチャに隣接する取り付けベースラインに沿って前記支持構造に取り付けられている、請求項１〜８のいずれかに記載の人工心臓弁。
【請求項１０】
前記取り付けベースラインは、外向き凸形状である、請求項９に記載の人工心臓弁。
【請求項１１】
前記取り付けベースラインは、円周方向に、少なくとも部分的に前記アパーチャの周囲を伸長する、請求項９または１０に記載の人工心臓弁。
【請求項１２】
前記リーフレットは、前記取り付けベースラインとは反対側に、前記第１および第２の取り付けラインの間を伸長する自由端を有し、該自由端は、前記支持構造に対して可動であり、該自由端は、外向き凸部、外向き凹部、および該凸部と凹部とのジャンクションを形成する、請求項９〜１１のいずれかに記載の人工心臓弁。
【請求項１３】
前記リーフレットの自由端は、前記取り付けベースラインよりも長い、請求項１２に記載の人工心臓弁。
【請求項１４】
前記リーフレットの前記取り付けベースラインから前記自由端までの間を通る複数の横断面は、それぞれ、外向き凸部、外向き凹部、および該凸部と凹部とのジャンクションを形成する、請求項１２または１３に記載の人工心臓弁。
【請求項１５】
前記リーフレットは、前記自由端から該自由端と前記取り付けベースラインとの間に位置する境界ラインまで伸長する接合領域を形成し、該接合領域は、複数のほぼ同一の横断面を形成する、請求項１２〜１４のいずれかに記載の人工心臓弁。
【請求項１６】
前記リーフレットは、前記取り付けベースラインと前記境界ラインとの間に、第１および第２の横断面を、第１の横断面が第２の横断面よりも取り付けベースラインの近くに配置されるように形成するとともに、第１および第２の横断面は、それぞれ、凸部と凹部を形成し、第１の横断面の前記凸部は、第２の横断面の前記凸部よりも長く、かつ、第１の横断面の前記凹部は、第２の横断面の前記凹部よりも短い、請求項１５に記載の人口心臓弁。
【請求項１７】
前記支持構造は、アパーチャを形成する基部と、該アパーチャの回りに配され、該基部から伸長する第１および第２のポスト部とを備え、該第１および第２のポスト部は、前記アパーチャの中心軸とほぼ平行方向に伸長しており、前記リーフレットは、前記第１の取り付けラインに沿って前記第１のポスト部と、前記第２の取り付けラインに沿って前記第２のポスト部と、前記取り付けベースラインに沿って前記基部に取り付けられる、請求項１〜１６のいずれかに記載の人工心臓弁。
【請求項１８】
前記リーフレットは、前記第１の取り付けラインに沿って、前記第１のポスト部にわたって伸長し、その周囲を取り囲み、かつ、前記第２の取り付けラインに沿って、前記第２のポスト部にわたって伸長し、その周囲を取り囲む、請求項１７に記載の人工心臓弁。
【請求項１９】
前記第１および第２のポスト部は、それぞれを貫通するホールを有し、前記リーフレットは、前記第１のポスト部のホール内を伸長し、かつ、前記第２のポスト部のホール内を伸長する、請求項１７または１８に記載の人工心臓弁。
【請求項２０】
前記第１および第２のポスト部を貫通するそれぞれのホールは、前記アパーチャの中心軸に対して、径方向に角度が付けられている、請求項１９に記載の人工心臓弁。
【請求項２１】
前記第１および第２のポスト部を貫通するそれぞれのホールは、スリットからなる、請求項１９または２０に記載の人工心臓弁。
【請求項２２】
前記第１および第２のポスト部は、それぞれを貫通する複数のホールを有し、前記リーフレットが、該第１および第２のポスト部を貫通する複数のホール内を伸長する、請求項１７〜２１のいずれかに記載の人工心臓弁。
【請求項２３】
前記リーフレットは、前記基部にわたって伸長し、その周囲を取り囲む、請求項１７〜２２のいずれかに記載の人工心臓弁。
【請求項２４】
前記基部は、該基部を貫通するホールを有し、前記リーフレットは該ホール内を伸長する、請求項１７〜２３のいずれかに記載の人工心臓弁。
【請求項２５】
前記基部を貫通するホールは、前記アパーチャの中心軸に対して、径方向に角度が付けられている、請求項２４に記載の人工心臓弁。
【請求項２６】
前記基部を貫通するホールは、スリットからなる、請求項２４または２５に記載の人工心臓弁。
【請求項２７】
前記基部は、該基部を貫通する複数のホールを有し、前記リーフレットは、該基部を貫通する複数のホール内を伸長する、請求項１７〜２６のいずれかに記載の人工心臓弁。
【請求項２８】
前記リーフレットは、前記支持構造上に一体的に形成されている、請求項１〜２７のいずれかに記載の人工心臓弁。
【請求項２９】
前記支持構造の少なくとも一部は、柔軟または折り畳み可能である、請求項１〜２８のいずれかに記載の人工心臓弁。
【請求項３０】
柔軟な１つ以上のさらなるリーフレット備え、該１つ以上のさらなるリーフレットは、それぞれ、前記アパーチャに血液を流す開配置と、前記アパーチャに血液が流れることを制限する閉配置との間を、前記支持構造に対して可動となっており、
前記中心軸を横断する平面で通る前記１つ以上のさらなるリーフレットのいずれか１つの横断面は、該さらなるリーフレットが、前記開配置および前記閉配置、および、該さらなるリーフレットが形成される自然状態または初期状態を含む前記開配置と前記閉配置との間のすべての中間状態において、外向き凸部、外向き凹部、および該凸部と凹部とのジャンクションを形成し、
前記１つ以上のさらなるリーフレットは、それぞれ、少なくとも部分的に直線的な第１および第２の取り付けラインに沿って取り付けられており、該１つ以上のさらなるリーフレットのいずれか１つが、対応する開配置と閉配置間との間を動くことにより、該さらなるリーフレットの前記横断面における前記凸部が、対応する第１および第２の取り付けラインの一方の回りを旋回し、かつ、該さらなるリーフレットの該横断面における前記凹部が、対応する第１および第２の取り付けラインの他方の回りを旋回する、
請求項１〜２９のいずれかに記載の人工心臓弁。
【請求項３１】
前記リーフレットの前記横断面の凸部の曲率が、該リーフレットと隣接する前記１つ以上のさらなるリーフレットの一方の前記横断面の凹部の曲率と実質的に一致し、該横断面が、前記中心軸を横断する同一平面で、該リーフレットおよび該隣接するさらなるリーフレットを通る、
請求項３０に記載の人工心臓弁。